(57)【特許請求の範囲】
【請求項１】
電子式電力量計で計測されたデータをもとにして各種情報を表示させることができる使用電力量表示端末において、
内部に表示器および電子回路を収容する金属製ケースと、
前記金属製ケースに設けられたブロック収容部に嵌合されて前記電子回路と前記電子式電力量計との間で通信などを行うケーブルを保持するとともに、計測データを送出するケーブルを接続するための接続金具を収容するプラスチック製ブロックと、
前記プラスチック製ブロックおよび前記金属製ケースに設けられた設定用のスイッチを覆うように前記金属製ケースにねじ止めされる金属製カバーと、
を備え、
前記金属製ケースは前記ブロック収容部に隣接して前記プラスチック製ブロックが挿入されてくる側が開放された軸受部を有し、前記金属製カバーはカバー本体と一体に形成され前記軸受部の軸受空間に配置される軸部を有し、前記プラスチック製ブロックは前記ブロック収容部への装着時に前記軸受空間に配置された軸部の抜けを防止する軸押え突起部を有していることを特徴とする使用電力量表示端末。
【請求項２】
前記金属製ケースの軸受部は、前記ブロック収容部に隣接する金属製ケースの正面側辺縁部の両端にて前記プラスチック製ブロックが挿入されてくる側へ突設されて前記軸受空間を形成する突起部が一体に形成されていることを特徴とする請求項１記載の使用電力量表示端末。
【発明の詳細な説明】
【０００１】
【発明の属する技術分野】
本発明は使用電力量表示端末に関し、特に電力需要家の側に設けられている電子式電力量計によって計測された電力量などを表示する使用電力量表示端末に関する。
【０００２】
【従来の技術】
計量システムは、引込み側配電線から需要家側配電線に接続する部分に設けられて電力需要家が使用した電力量を計測する。高圧需要家の場合には、そのような使用電力量を直接計測することはできないので、電圧および電流変換器を用いて計測している。
【０００３】
このような高圧需要家用の計量システムは、引込み側配電線と電圧および電流変換器側配電線を接続するテストターミナルと電子式電力量計（電力需給用複合計器）とが一体になって計器箱の中に納められている。つまり、計器箱の中に１つの電子式電力量計だけを取り付けた構成になっている。
【０００４】
この電子式電力量計は、基本的には、使用電力量を計測するだけのものであるため、そこでの計測値をもとにした電力、電力量など、ごく限られた項目しか表示することができない。
【０００５】
ところが、近年、電子式電力量計の計測値をもとにした付加的な項目の表示機能の要求がでてきている。たとえば、電力料金を時間帯、さらには季節別に差別化しようとした場合には、それぞれの時間帯および季節別における使用電力量を表示したり、よりきめの細かい計量・計測項目が必要な場合には、有効電力量・無効電力量、力率、遅れ・進みなどをも表示したいという要求がある。
【０００６】
このような要求に対して、電子式電力量計とは別体の使用電力量表示端末が開発されている。このような使用電力量表示端末は、電子式電力量計の近傍に設けられ、電子式電力量計と通信させることにより電子式電力量計が計測したデータをもとにして、各種項目を表示させるようにしている。
【０００７】
このような使用電力量表示端末は、電子式電力量計と同様に、定期的にメンテナンス作業が行われる。このメンテナンスは、使用電力量表示端末に設けられた手動設定スイッチを押して開始される。手動設定スイッチは、非常に重要なスイッチであるため、誤ってあるいはいたずらで押されたりするのを防止するため、金属製のカバーで覆い、さらに封印をするといったことが行われている。
【０００８】
金属製のカバーは、たとえば２本程度のねじを使って手動設定スイッチが取り付けられている金属製ケースに固定されている。したがって、使用電力量表示端末を定期的にメンテナンスするときには、まず、封印を解き、それらのねじを外し、金属製のカバーを取ってそれをどこか安全な場所に置いた上で、設定作業を行う。設定作業が終われば、手動設定スイッチを覆うように金属製のカバーを付け、それを金属製ケースにねじで固定し、最後に封印を行うようにしている。
【０００９】
【発明が解決しようとする課題】
しかしながら、金属製のカバーは、メンテナンス作業のたびに必ず取り外す必要があり、メンテナンス作業の前後にねじの取り外しおよび取り付けの作業があることから、作業時間が長くなるという問題点があった。
【００１０】
また、使用電力量表示端末は、一般に、高所に設けられていることが多いので、ねじの取り外しおよび取り付けの作業性が悪いという問題点があった。
さらに、金属製のカバーを金属製ケースから取り外すときに、誤って落してしまう可能性がある。メンテナンス作業のときは、電気が供給されているので、金属製のカバーを誤って落としたときに、その金属製のカバーが計器箱内の充電部に接触して、短絡事故または感電事故の起きる危険性があるという問題点があった。
【００１１】
本発明はこのような点に鑑みてなされたものであり、金属製のカバーを取り扱うときの作業性がよく、作業時間が短く、かつ短絡・感電事故の可能性をなくした使用電力量表示端末を提供することを目的とする。
【００１２】
【課題を解決するための手段】
本発明では上記問題を解決するために、電子式電力量計で計測されたデータをもとにして各種情報を表示させることができる使用電力量表示端末において、内部に表示器および電子回路を収容する金属製ケースと、前記金属製ケースに設けられたブロック収容部に嵌合されて前記電子回路と前記電子式電力量計との間で通信などを行うケーブルを保持するとともに、計測データを送出するケーブルを接続するための接続金具を収容するプラスチック製ブロックと、前記プラスチック製ブロックおよび前記金属製ケースに設けられた設定用のスイッチを覆うように前記金属製ケースにねじ止めされる金属製カバーと、を備え、前記金属製ケースは前記ブロック収容部に隣接して前記プラスチック製ブロックが挿入されてくる側が開放された軸受部を有し、前記金属製カバーはカバー本体と一体に形成され前記軸受部の軸受空間に配置される軸部を有し、前記プラスチック製ブロックは前記ブロック収容部への装着時に前記軸受空間に配置された軸部の抜けを防止する軸押え突起部を有していることを特徴とする使用電力量表示端末が提供される。
【００１３】
このような使用電力量表示端末によれば、金属製ケースにプラスチック製ブロックが挿入されてくる側が開放した軸受部を形成し、その開放側にプラスチック製ブロックに突設された軸押え突起部を配置して金属製カバーの軸部を軸支する軸受を構成するようにした。これにより、金属製カバーは、その軸受部を中心に揺動する扉機構が構成され、メンテナンス作業時にカバー封印ねじを外して開けても金属製ケースから脱落することがないため、取り外したねじおよびカバーを何処かに保管する必要がなく、メンテナンスの作業性が向上する。また、金属製カバーが落下することによる短絡事故や感電事故の可能性が全くなくなる。
【００１４】
【発明の実施の形態】
以下、本発明の実施の形態を、計器箱の中に電子式電力量計と一緒に組み込んで構成される計量システムに適用した場合を例に図面を参照して詳細に説明する。
【００１５】
図１は本発明による使用電力量表示端末を示す分解斜視図、図２は本発明による使用電力量表示端末の組立状態を示す斜視図である。
本発明による使用電力量表示端末は、取付金具１と、金属製ケース２と、２本の取付ねじ３と、プラスチック製ブロック４と、金属製カバー５と、カバー封印ねじ６とから構成されている。
【００１６】
取付金具１は、計器箱本体の側に取り付けられて金属製ケース２を載せるための取付台を構成する。この取付金具１は、所定の形状にカットまたは打ち抜かれた金属板を折り曲げ加工することによって形成され、低コストで作ることができる。金属製ケース２は、ダイキャスト製造技術にて一体に成形されたアルミニウム製のケースであり、中にたとえば液晶式の表示部と電子式電力量計から送られた計測データを処理する電子回路基板とが収容される。取付ねじ３は、金属製ケース２を取付金具１に固定するためのものである。プラスチック製ブロック４は、電子式電力量計から電源および計測データが供給されるケーブルを固定するとともに計測データを外部に伝送するケーブルを接続するための端子を保持する部材である。金属製カバー５は、このプラスチック製ブロック４と金属製ケース２に設けられる手動設定スイッチやリセットスイッチなどを保護するためのもので、その開閉時に外れないよう扉機構を有している。そして、カバー封印ねじ６は、この金属製カバー５を金属製ケース２に固定するためのものである。
【００１７】
図３は金属製ケースの詳細を示す図であって、（Ａ）は金属製ケースの正面図、（Ｂ）は（Ａ）のａ−ａ矢視断面図である。
金属製ケース２は、その両側部にフランジ２１を有し、そのフランジ２１には、取付ねじ３を挿通させる長穴２２とがそれぞれ設けられている。このフランジ２１に設けられた長穴２２は、取付ねじ３を緩めた状態で、金属製ケース２を取付金具１の上でスライドさせることを可能にしている。
【００１８】
金属製ケース２の中央部には、表示窓２３が設けられている。この金属製ケース２の右側上方部には、プラスチック製ブロック４を収容するブロック収容部２４が形成されている。そのブロック収容部２４を構成する背面側の壁には、このブロック収容部２４に収容されたプラスチック製ブロック４を図示しないねじで裏側から固定するための穴２５が設けられ、ブロック収容部２４の表示窓２３側には、金属製カバー５を揺動可能に軸支する軸受部２６が設けられている。この軸受部２６は、詳しくは後述するが、図の右側、すなわちブロック収容部２４にプラスチック製ブロック４が挿入されてくる側が開放されていて、上下端部が略Ｕ字状に形成されている。
【００１９】
さらに、ブロック収容部２４の下方には、リセットスイッチ用の穴２７ａ、手動検針コネクタ用の穴２７ｂ、手動設定スイッチ用の穴２７ｃ、およびカバー封印ねじ６を受けるねじ穴２８が設けられている。
【００２０】
ここで、金属製ケース２のブロック収容部２４に嵌め込まれたプラスチック製ブロック４、リセットスイッチ用の穴２７ａ、手動検針コネクタ用の穴２７ｂおよび手動設定スイッチ用の穴２７ｃは、通常使用時には金属製カバー５によって覆われ、金属製カバー５はカバー封印ねじ６によって金属製ケース２に固定される。この金属製カバー５は、メンテナンス作業時においてリセットスイッチなどを使用する場合に開けられるが、その場合でも金属製ケース２の軸受部２６に付いたままであるため、メンテナス作業中にこの金属製カバー５が脱落することがなく、したがって、短絡事故や感電事故を完全に防止することができる。
【００２１】
また、この金属製ケース２は、図１および図２に示されるように、その裏側が同じアルミニウム製の蓋２９によって閉止される。
図４は金属製カバーの詳細を示す図であって、（Ａ）は金属製カバーの平面図、（Ｂ）は金属製カバーの正面図である。
【００２２】
金属製カバー５は、カバー本体５１と軸部５２とによって構成されている。カバー本体５１には、封印用の紐を通すための紐挿通部５３が設けられ、さらにカバー封印ねじ６を通すためのねじ穴５４が設けられている。このねじ穴５４に先端近傍のみにねじ山が形成されたカバー封印ねじ６をねじ込み、ねじ山のない部分まで貫通させておくことにより、金属製カバー５の開閉の際に、カバー封印ねじ６が金属製カバー５のねじ穴５４から抜け出てしまうことがないため、カバー封印ねじ６が落下して短絡事故を引き起こしたり紛失することがない。軸部５２は、カバー本体５１の長手方向と平行に延びており、中央部がカバー本体５１と連結されている。この金属製カバー５のカバー本体５１および軸部５２は、金属板を所定の形状にカットまたは打ち抜くことによって一体に形成される。
【００２３】
図５はプラスチック製ブロックを示す図であって、（Ａ）はプラスチック製ブロックの平面図、（Ｂ）はプラスチック製ブロックの正面図である。
このプラスチック製ブロック４は、金属製ケース２のブロック収容部２４に嵌め込まれて、電子式電力量計と通信などを行うケーブルを固定したり計測データ送出用ケーブルの接続端子を保持するものである。そのために、このプラスチック製ブロック４の右側面に、図１および図２の斜視図には表わされているが、通信ケーブルを通すためのかまぼこ型の通路や計測データ送出用ケーブルを挿入する挿入穴が形成されている。
【００２４】
プラスチック製ブロック４の正面には、そのボディ４１より前面に突出した２つの軸押え突起部４２が突設され、プラスチック製ブロック４の挿入側の面（図の左側面）の正面側縁部には、その高さ方向に亘って隆起部４３がボディ４１と一体に形成されている。
【００２５】
軸押え突起部４２は、金属製カバー５の軸部５２の上下端の高さに位置し、軸部５２が金属製ケース２の軸受部２６に装着されているときに、横方向が開放されている軸受部２６から金属製カバー５の軸部５２が抜け出るのを防止する働きをする。
【００２６】
また、隆起部４３は、その斜面４４が金属製カバー５の軸部５２を軸支するための軸受空間を形成する壁の一部を構成している。
図６は金属製カバーの取り付け状態を示す正面図、図７は金属製カバーの軸受部分の詳細を示す部分拡大平面図である。
【００２７】
軸受部２６は、ブロック収容部２４に隣接する金属製ケース２の正面側辺縁部の上下端に、それぞれ金属製カバー５の軸部５２を収容するための略Ｕ字状の軸受空間２６ａを形成する突起部２６ｂ，２６ｃが設けられている。この軸受空間２６ａの開放側には、プラスチック製ブロック４の軸押え突起部４２および隆起部４３が配置され、軸受を構成している。これにより、軸受空間２６ａに装着された金属製カバー５の軸部５２はその軸受空間２６ａに閉じ込められることで、その軸受を中心に金属製カバー５を揺動させることができ、金属製カバー５の開閉時に外れない扉構造にすることができる。
【００２８】
このような軸および軸受構造は、金属製ケース２、プラスチック製ブロック４および金属製カバー５の形状を工夫したことによって達成でき、扉構造にするために何ら特別な部品を要するものではない。このため、扉構造にしたことによるコストアップはない。これは、扉構造の目的が、金属製カバー５の金属製ケース２からの脱落防止にあるためであり、金属製カバー５ががたつきなく開閉するような精密な機構は不要なためである。
【００２９】
次に、このような扉構造の金属製カバー５を有する使用電力量表示端末を適用した計量システムの一例を示す。
図８は使用電力量表示端末の取り付け状態を示す計量システムの正面図、図９は使用電力量表示端末の取り付け状態を示す計量システムの側面図である。
【００３０】
これらの図において、図示の計量システム７０は、屋外設置用のものであり、計器箱カバーを取り外した状態で示している。したがって、通常使用時は、図示しない計器箱カバーが取り付けられている。
【００３１】
計量システム７０は、破線で示す計器箱本体７１の中に、上から、使用電力量表示端末７２、電子式電力量計７３およびテストターミナル７４の順番に配置されている。
【００３２】
使用電力量表示端末７２は、計器箱本体７１に固定された取付金具１に金属製ケース２を取付ねじ３で固定することによって取り付けられる。図９の側面図に示されているように、取付金具１を設けることによって、金属製ケース２を前面に押し出した状態で保持することができる。電子式電力量計７３は、その奥行き方向のほぼ中央部にて上方に突出した突出部７３ａを有しているため、通常は、その突出部７３ａの投影形状を含む直方体のスペースは、デッドスペースになるが、金属製ケース２を突出部７３ａよりも前方位置に取り付け固定することができるため、使用電力量表示端末７２は、そのデッドスペースを有効利用することができるようになり、その分だけ、金属製ケース２を大きくでき、表示スペースを増やすことができる。また、金属製ケース２を前面に押し出したことにより、金属製ケース２の表示窓２３と電子式電力量計７３の表示窓とをほぼ同じ高さにし、かつ、取付ねじ３を緩めた状態では、金属製ケース２を取付金具１に沿って計器箱本体７１の外側まで上方へ移動させることが可能になる。
【００３３】
金属製ケース２を上方移動することにより、金属製ケース２と電子式電力量計７３との間に十分な作業空間ができるため、電子式電力量計７３の検定満了に伴う定期的な交換作業を容易に行うことができるようになる。
【００３４】
【発明の効果】
以上説明したように、本発明では、表示器および電子回路を収容する金属製ケースに突起部を成形してプラスチック製ブロックが挿入されてくる側が開放した軸受部を構成し、その開放側にプラスチック製ブロックに突設された軸押え突起部を配置して金属製カバーの軸部を軸支する軸受を構成した。これにより、金属製カバーは、扉構造になり、メンテナンス作業時にカバー封印ねじを外して開けても脱落することがないため、取り外したねじおよびカバーを何処かに保管する必要がなく、メンテナンスの作業性が向上する。また、金属製カバーが落下することによる短絡事故や感電事故の可能性が全くなくなる。
【図面の簡単な説明】
【図１】本発明による使用電力量表示端末を示す分解斜視図である。
【図２】本発明による使用電力量表示端末の組立状態を示す斜視図である。
【図３】金属製ケースの詳細を示す図であって、（Ａ）は金属製ケースの正面図、（Ｂ）は（Ａ）のａ−ａ矢視断面図である。
【図４】金属製カバーの詳細を示す図であって、（Ａ）は金属製カバーの平面図、（Ｂ）は金属製カバーの正面図である。
【図５】プラスチック製ブロックを示す図であって、（Ａ）はプラスチック製ブロックの平面図、（Ｂ）はプラスチック製ブロックの正面図である。
【図６】金属製カバーの取り付け状態を示す正面図である。
【図７】金属製カバーの軸受部分の詳細を示す部分拡大平面図である。
【図８】使用電力量表示端末の取り付け状態を示す計量システムの正面図である。
【図９】使用電力量表示端末の取り付け状態を示す計量システムの側面図である。
【符号の説明】
１  取付金具
２  金属製ケース
３  取付ねじ
４  プラスチック製ブロック
５  金属製カバー
６  カバー封印ねじ
２１  フランジ
２２  長穴
２３  表示窓
２４  ブロック収容部
２５  穴
２６  軸受部
２６ａ  軸受空間
２６ｂ，２６ｃ  突起部
２７ａ  穴
２７ｂ  穴
２７ｃ  穴
２８  ねじ穴
２９  蓋
４１  ボディ
４２  軸押え突起部
４３  隆起部
４４  斜面
５１  カバー本体
５２  軸部
５３  紐挿通部
５４  ねじ穴
７０  計量システム
７１  計器箱本体
７２  使用電力量表示端末
７３  電子式電力量計
７３ａ  突出部
７４  テストターミナル
【図１】
0004230121.tif 000002
【図２】
0004230121.tif 000003
【図３】
0004230121.tif 000004
【図４】
0004230121.tif 000005
【図５】
0004230121.tif 000006
【図６】
0004230121.tif 000007
【図７】
0004230121.tif 000008
【図８】
0004230121.tif 000009
【図９】
0004230121.tif 000010